(57)【特許請求の範囲】
【請求項１】
天井躯体から吊下げられ外周に雄ねじが形成された吊りボルト（３１）と半螺合する吊りボルト係合片（２）を取付ける支持受板（３）と、該支持受板の両側から直角に延展し案内孔（１３）が形成された支持側板（４，５）とを有する保持金具（６）と、
螺合ねじ部（１６）が形成された基板（１４）と、該基板の両側から直角に延展し該保持金具の支持側板を外側から狭持する支持側板（９，１０）と、該支持側板間に取り付けられ前記保持金具の案内孔に回転自在に支持される取付軸（８）と、該吊りボルト係合片とブレース取付ボルトの不整合を防止する該基板の下辺から斜め上方に延展する取付ボルト案内板（１８）及び該基板の上辺から延展する案内板（１９）の内少なくとも上辺から延展する案内板を設けた可動保持金具（７）と、
該可動保持金具の螺合ねじ部に捻じ込んで吊りボルト係合片と対応させながら吊りボルトを加圧して固定するブレース取付ボルト（１１）と、
を備えることを特徴とするブレース取付金具。
【請求項２】
前記ブレース取付ボルトの一方の端部にブレース取付ボルト保持枠（１２）を固着し、前記ブレース取付ボルト保持枠に補強ブレース（３２）を連結することを特徴とする請求項１に記載のブレース取付金具。
【請求項３】
ブレース取付ボルトに架設されたブレース取付金具を吊りボルトに配備し、設定する補強ブレースの取付け位置を調整しながら、ブレース取付金具の保持金具に取付けられている支持受板の吊りボルト係合片を吊りボルトに半螺合させた後に、保持金具に対する可動保持金具を取付軸に沿って回動させると共に可動保持金具に捻じ込まれているブレース取付ボルトを調整しながら吊りボルト係合片と協働させて、吊りボルトに補強ブレースに備えられたブレース取付金具を強固に設定する請求項１又は２に記載のブレース取付金具の取扱方法。
【発明の詳細な説明】
【技術分野】
【０００１】
本発明は、天井躯体に天井枠を吊下げる際に用いる補強ブレースを天井からの吊りボルトに強固に定着するためのブレース取付金具とその取扱方法に関する。
【背景技術】
【０００２】
天井躯体に天井枠を吊下げる際には、従来から天井枠の耐震強度を確保するために吊りボルトと天井枠との間に補強ブレースを用いるのが一般的である。
従来の天井構造においては、補強ブレースの一端を天井躯体から吊下げられた吊りボルトの上部に係止すると共に補強ブレースの他方端は天井枠もしくは隣接する他の吊りボルトに固定しているが、吊りボルトに補強ブレースを係止するために用いるブレース取付金具の一例としては、補強ブレースの先端に設けられた取付ボルトをブレース金具の基板に螺挿すると共に基板の上部から延在している吊りボルトへの係止が可能な第一係止部と基板の下部から延在している吊りボルトへの係止が可能な第二係止部及び第一係止部と第二係止部との間に配設されて第二係止部側から延在している第三係止部を備えているブレース金具であって、基板に螺挿された取付ボルトを吊りボルトに締め付けることによって各係止部と取付ボルトとの３点間で吊りボルトに補強ブレースを定着させる提案もなされている。（特許文献１を参照）
又、この他にも補強ブレースの一端にボルト部を設け、基盤部から上下方向に角度の異なる二股状に形成した係止片を備える取付金具を用いて、その基板部に設けられたナット部に補強ブレースのボルト部を緊締操作可能に螺入して置き、取付金具の各係止片を吊りボルトに係止させると共に補強ブレースのボルト部を回転させながらその先端を吊りボルトに当接させて、各係止片と補強ブレースのボルト部とによって吊りボルトを緊締させることによって吊りボルトに補強ブレースを配備する天井用補強ブレースの取付け構造も見ることができる。（特許文献２を参照）
【０００３】
しかしながら、上記何れの提案も吊りボルトと取付金具との係止状態が補強ブレースのボルト部と取付金具の係止片とによる複数の係止点で行われて不安定であると共に、補強ブレースの取付角度が限定的であるために調整不可能になって作業に多くの手間を要することになる。加えて、何れの取付金具もその構造が一体的に成っているために天井躯体や天井枠に衝撃を受けた際には補強ブレースの偏心やねじれ及び羽子板と同様の座屈現象をも発生し、天井枠に上下動が生じた場合には補強ブレースが吊りボルトから離脱して脱落する可能性等の多くの問題点を抱えていた。
【先行技術文献】
【特許文献】
【０００４】
【特許文献１】特許公開２００９-３５９６０号公報
【特許文献２】特許公開２００３-１３８６８８号公報
【発明の概要】
【発明が解決しようとする課題】
【０００５】
本発明は、天井躯体に天井枠を吊下げる際に用いるブレース取付金具とその取扱方法に関しており、ブレース取付金具を吊りボルトに定着するための作業が容易にして堅固であるブレース取付金具とその取扱方法の提供を目的にしている。
【課題を解決するための手段】
【０００６】
本発明によるブレース取付金具は、天井躯体から吊下げられ外周に雄ねじが形成された吊りボルト３１と半螺合する吊りボルト係合片２を取付ける支持受板３と、該支持受板の両側から直角に延展し案内孔１３が形成された支持側板４，５とを有する保持金具６と、  螺合ねじ部１６が形成された基板１４と、該基板の両側から直角に延展し該保持金具の支持側板を外側から狭持する支持側板９，１０と、該支持側板間に取り付けられ前記保持金具の案内孔に回転自在に支持される取付軸８と、該吊りボルト係合片とブレース取付ボルトの不整合を防止する該基板の下辺から斜め上方に延展する取付ボルト案内板１８及び該基板の上辺から延展する案内板１９の内少なくとも上辺から延展する案内板を設けた可動保持金具（７）と、該可動保持金具の螺合ねじ部に捻じ込んで吊りボルト係合片と対応させながら吊りボルトを加圧して固定するブレース取付ボルト１１と、を備えることを特徴とする。
【０００７】
本発明による他のブレース取付金具は、前記ブレース取付ボルトの一方の端部にブレース取付ボルト保持枠１２を固着し、前記ブレース取付ボルト保持枠に補強ブレース３２を連結することを特徴とする。
【０００８】
本発明によるブレース取付金具の取扱方法は、ブレース取付ボルトに架設されたブレース取付金具を吊りボルトに配備して、設定する補強ブレースの取付け位置を調整しながら、ブレース取付金具の保持金具に取付けられている支持受板の吊りボルト係合片を吊りボルトに半螺合させた後に、保持金具に対する可動保持金具を取付軸に沿って回動させると共に可動保持金具に捻じ込まれているブレース取付ボルトを調整しながら吊りボルト係合片と協働させて、吊りボルトに補強ブレースに備えられたブレース取付金具を強固に設定するものであり、補強ブレースに装備されたブレース取付金具を吊りボルトに定着するための作業が容易にして堅固に施工できる。
【発明の効果】
【０００９】
本発明によるブレース取付金具とその取扱方法は、上記のように構成することで以下のような多様な効果を奏している。
１．吊りボルトと保持金具の吊りボルト係合片とが半螺合することで吊りボルトへの係止が上下動に対しても堅牢堅固であり、強いては補強ブレースの吊りボルトへの取付けが確実に成ることで、天井躯体や天井枠に衝撃を受けた際にも補強ブレースの偏心やねじれと羽子板の座屈現象に対してもこれを防止できる。
２．保持金具に対して可動保持金具が回動可能であるので、補強ブレースの取付角度を広範囲に調整できる。
３．可動保持金具にブレース取付ボルトの螺合ねじ部が形成されることで、吊りボルトへのブレース取付金具の取付が締付調整可能になっており、補強ブレースの取付を過不足なく確実に設定出来る。
４．ブレース取付金具の保持金具をコの字形状にして両支持側板間を取付軸で固定しているので、ブレース取付金具の偏心、ねじれ及び座屈を防止している。
５．補強ブレースに取付けられたブレース取付ボルトに架設されているブレース取付金具を吊りボルトの下方から差し込んで吊りボルトの上方の任意の位置に容易に移動させて確実に固定できるので施工性が良好になる。
【図面の簡単な説明】
【００１０】
【図１】本発明によるブレース取付金具の実施形態図
【図２】ブレース取付金具における保持金具６の実施形態図
【図３】ブレース取付金具における可動保持金具６の実施形態図
【図４】ブレース取付金具を取付けるブレース取付ボルトの実施形態図
【図５】ブレース取付金具における可動保持金具６の他の実施形態図
【図６】本発明によるブレース取付金具の取扱方法を説明する施工図
【図７】ブレース取付金具の取扱方法を説明するためのブレース取付金具の断面図
【発明を実施するための形態】
【００１１】
〔実施例１〕
本発明によるブレース取付金具は、吊りボルトと半螺合する吊りボルト係合片を取付ける支持受板とこの支持受板の両側から直角に延展する支持側板及び支持側板間に張り渡される可動保持金具の取付軸から形成される保持金具、この保持金具を狭持する状態で支持側板間に取付けられる取付軸に支持されるブレース取付ボルト案内板と保持金具との不整合を防止する案内板及びブレース取付ボルトの螺合ねじ部から形成される可動保持金具、その可動保持金具の螺合ねじ部に捻じ込んで吊りボルト係合片と対応させながら吊りボルトを加圧して固定するブレース取付ボルトから構成されており、吊りボルトへの係止が確実で堅牢堅固に成るように構成されている。
【００１２】
本発明によるブレース取付金具は、保持金具と保持金具に取付けられる可動保持金具及び可動保持金具に捻じ込まれているブレース取付ボルトから構成されているので、その実施例を図１の側面図（ａ）、下方から見た平面図（ｂ）に基づいて説明する。
【００１３】
本発明によるブレース取付金具１は、図示のように吊りボルトと半螺合するための吊りボルト係合片２を取付けている支持受板３とこの支持受板３の両側から直角に延展する支持側板４、５から形成される保持金具６を基盤にしており、この支持側板４、５間には保持金具６の支持側板４、５を狭持する状態で装備される可動保持金具７を支持するための取付軸８を回転できる状態で備えている。
可動保持金具７は、支持受板３の両側から保持金具６の支持側板４、５を狭持する形態で支持側板９、１０を形成しており、保持金具６に張り渡している取付軸８の可動保持金具７への溶接支持によって保持金具６に装備されており、ブレース取付ボルト１１を受け入れて保持金具６に装備された吊りボルト係合片２と対応させている。
ブレース取付ボルト１１は、可動保持金具７の螺合ねじ部に捻じ込んで吊りボルト係合片２と対応させながら吊りボルトを加圧して、天井躯体に装備されている吊りボルトにブレース取付金具１を確実に定着させている。一方、ブレース取付ボルト１１を装備しているブレース取付ボルト保持枠１２を介在させることでブレース取付金具１が先端に装備されている補強ブレースをして強固に設置可能にしている。
【００１４】
次に、ブレース取付金具１を構成している各部分についてその実施形態を述べる。保持金具については、図２の正面図（ａ）、側面図（ｂ）及び下方から見た平面図（ｃ）に基づいて説明する。
保持金具６は、支持受板３とその両側から直角に延展する支持側板４、５とから形成されるものであり、支持受板３の中央には吊りボルトと半螺合するために吊りボルトのねじ径と同径のナットを半割したナット等の吊りボルト係合片２を配置している。又、支持側板４、５間には、可動保持金具７を支持するための取付軸８を回転できる状態で備えるために取付軸８の案内孔１３を形成している。
【００１５】
可動保持金具７は、図３の正面図（ａ）、背面図（ｂ）及び下方から見た平面図（ｃ）及び正面図の部分断面図（ｄ）（e）に基づいて説明する。
可動保持金具７は、基板１４とその両側から直角に延伸している支持側板９、１０から構成されており、基板１４には貫通孔１５を介して挿入されるブレース取付ボルト１１を締め付けて固定するためのナット１６が装備されている。そして、このナット１６に関してはこれに限定されるものでなく、図３（ｄ）の部分断面図が示すようにナット１６を採用せずに基板１４の貫通孔１５を多少ながら小径にしてそこにナットと同型の螺子３４を形成することでナットの節約とナットを取付ける作業工程の省略を図ることも可能である。さらに、基板の螺子部において強度的に不安がある場合には、図３（e）の部分断面図
が示すように貫通孔１５を形成することなく貫通孔１５の位置に基板１４の外側から内側に向かって圧搾を図って押し出された膨出部３５にナット１６と同様の螺子３４を形成す
るバーニング工法を以ってブレース取付ボルト１１を捻じ込むための構成にすることも選択できるものである。
又、基板１４には支持側板９、１０と直交する位置の一方にブレース取付ボルト１１を案内して吊りボルトに正確に当設させるための取付ボルト案内孔１７を形成した取付ボルト案内板１８を設けている。同様に他方側には支持側板９、１０と協動して保持金具６に装備されている吊りボルト係合片２とブレース取付ボルト１１との不整合を防止すると共に、保持金具６における支持側板９、１０の締め過ぎを防止するための案内板１９を形成している。
支持側板９、１０には可動保持金具７を保持金具６に装備するための取付軸８を保持する穴２０を形成させて、取付軸８を溶接によって支持側板９、１０に固定できるようにしている。
そして、保持金具６に張り渡している取付軸８に関しては、上述したように丸棒から形成してこれに可動保持金具７の支持側板９、１０に溶接固定することに限定されるものでなく、可動保持金具７の支持側板９、１０の一方にねじを形成してこれに任意のボルトを張り渡す状態で固着して置き、保持金具６の支持側板４、５に案内孔１３を形成してこれに張り渡したボルトを軸にして可動保持金具７を回転可能にする方策も選択できるものである。
以上の構成から、可動保持金具７は総じてブレース取付金具１の構成と機能を支障なく維持する働きを有効に発揮している。
【００１６】
次に、ブレース取付ボルト１１を図４の正面図（ａ）と側面図（ｂ）に基づいて説明する。
ブレース取付ボルト１１は、可動保持金具７のナット１６に捻じ込んで吊りボルト係合片２と対応させながら吊りボルトに加圧させてブレース取付金具１を吊りボルトに設定するものである。ブレース取付ボルト１１の一方端はブレース取付ボルト保持枠１２に溶接等によって固着されており、このブレース取付ボルト保持枠１２をボルト孔２１にボルトをセットすることで補強ブレースの先端に取付け可能にしている。
【００１７】
〔実施例２〕
本発明による他のブレース取付金具は、吊りボルトと半螺合する吊りボルト係合片を取付ける支持受板とこの支持受板の両側から直角に延展する支持側板及び支持側板間に張り渡される可動保持金具の取付軸から形成される保持金具、この保持金具を狭持する状態で支持側板間に取付けられる取付軸に支持される保持金具との不整合を防止する案内板とブレース取付ボルトとの螺合ねじ部から形成される可動保持金具、その可動保持金具の螺合ねじ部に捻じ込んで吊りボルト係合片と対応させながら吊りボルトを加圧して固定するブレース取付ボルトから構成されており、可動保持金具の簡素化を図りながら吊りボルトへの係止を確実にして堅牢堅固に形成されている。
【００１８】
本発明による他のブレース取付金具では、上述した実施例１の保持金具に取付けられる可動保持金具７の一部のみを変更させて簡易に構成しているので、変更している可動保持金具７の実施例のみを図５の正面図（ａ）、背面図（ｂ）及び下方から見た平面図（ｃ）に基づいて説明する。
【００１９】
本実施例に採用される新規の可動保持金具２２は、図５の正面図（ａ）、背面図（ｂ）及び下方から見た平面図（ｃ）に基づいて説明する。
可動保持金具２２は、基板２３とその両側から直角に延伸して貫通孔２４を形成して成る支持側板２５、２６から構成されており、基板２３には貫通孔２７を介して挿入されるブレース取付ボルト１１を締め付けて固定するためのナット２８が装備している点は上述した実施例１と同様である。
又、基板２３には支持側板２５、２６と直交する位置の一方に支持側板２５、２６と協
動して保持金具６との捩れを防止すると共に、保持金具６における支持側板２５、２６の締め過ぎを防止するための案内板２９を形成しており、取付ボルト案内板を省略した簡潔な構成ながらブレース取付金具１の全体構成と相俟ってその機能を支障なく維持する働きを発揮している。
【００２０】
以上のように構成した可動保持金具２２は、ブレース取付ボルト１１の寸法が補強ブレースとの関連で大きくなった場合に、実施例１のようにこれに対応する寸法の大柄な取付ボルト案内板１８を基板２３の一方に設けることは支持側板２５、２６間の間隔を大きくすることになり、結果的に保持金具６をも大きくしてブレース取付金具１の形状を大きくしてしまう。このようなリスクを避けるためにも、ブレース取付ボルト１１の強度も勘案しながら取付ボルト案内孔を形成した取付ボルト案内板を廃止して、ブレース取付金具の全体寸法を小型軽量にすることによってコストの低減と天井躯体や天井枠が巨大な衝撃を受けた際にも補強ブレースの偏心やねじれと羽子板状の座屈現象に対しても充分に対処できるブレース取付金具を提供できる効果を発揮できるものである。
【００２１】
〔実施例３〕
本発明によるブレース取付金具の取扱方法は、ブレース取付ボルトに架設されたブレース取付金具を吊りボルトに配備して、設定する補強ブレースの取付け位置を調整しながら、ブレース取付金具の保持金具に取付けられている支持受板の吊りボルト係合片を吊りボルトに半螺合させ、その後に保持金具に対する可動保持金具を取付軸に沿って回動させると共に可動保持金具に捩じ込まれているブレース取付ボルトを調整しながら吊りボルト係合片と協働させて、吊りボルトに補強ブレースに備えられたブレース取付金具を強固に設定するものであり、補強ブレースに装備されたブレース取付金具を吊りボルトに定着するための作業を容易にすると共に補強ブレースを堅固に保持するものである。
【００２２】
本発明によるブレース取付金具の取扱方法は、天井躯体に天井枠を吊下げるための吊りボルトに補強ブレースを配置することを目的にして構成されているので、その実施例を図６の側面図と図７のブレース取付金具の断面図に基づいて説明する。
【００２３】
一般的に、天井躯体３０から吊下げられている複数の吊りボルト３１によって図示していない天井枠は配置されているが、図６に示すようにこの保持構造を建物の揺れや上下動が発生しても何らの損傷も無く強固に維持するために、吊りボルト３１の相互間には補強ブレース３２が配置されている。
補強ブレース３２の各先端には、ブレース取付金具１がボルト３３によって取付けられており、このブレース取付金具１を吊りボルト３１に架設することによって天井躯体３０から吊下げられている吊りボルト３１の相互間を有効に結合させている。
【００２４】
次に、ブレース取付金具１を吊りボルト３１に架設する工程について図７に基づいて説明する。
吊りボルト３１と離別している状態で、補強ブレース３２の先端にボルト３３によって取付けられているブレース取付金具１は、吊りボルト３１の下方端から架設されて吊りボルト３１の相互間を補強ブレース３２によって補強される状態に形成される。この状態において、ブレース取付金具１における保持金具６の支持受板３に装備されている半割したナット等の吊りボルト係合片２を吊りボルト３１のねじ部に螺合させることでブレース取付金具１を吊りボルト３１に堅牢堅固に固定している。
次いで、補強ブレース３２を回転させることで可動保持金具７の基板１４に装備されたナット１６に捻じ込まれているブレース取付ボルト１１を取付ボルト案内板１８に形成した取付ボルト案内孔１７をガイドにして吊りボルト３１に加圧させて、吊りボルト３１と螺合している吊りボルト係合片２とブレース取付ボルト１１との結合状態は確実なものに形成されている。
以上のようなブレース取付ボルト１１の結合状態は、吊りボルト３１に対する保持金具６に装備している吊りボルト係合片２の適宜な設定を実施すると共に、ブレース取付金具１の保持金具６に形成された支持側板４、５間を回転可能に狭持して配置されている可動保持金具７は固定された取付軸８の容易な回動によって可動保持金具７に捻じ込まれているブレース取付ボルト１１を広範囲に角度取りすることを可能にしており、補強ブレースの取り付け施工において良好な作業性を発揮させてその作業を迅速に処理できるものである。
【産業上の利用可能性】
【００２５】
本発明は、天井躯体に天井枠を吊下げる際に用いる補強ブレースを天井からの吊りボルトに強固に定着するためのブレース取付金具とその取扱方法に関し、補強ブレースの確実な設定を迅速に施工できるものである。
【符号の説明】
【００２６】
１  ブレース取付金具、  ２  吊りボルト係合片、  ３  支持受板、  ４、５  支持側板、
６  保持金具、  ７、２２  可動保持金具、  ８  取付軸、
９、１０  保持金具の支持側板、  １１  ブレース取付ボルト、  １２  ブレース取付ボルト保持枠、  １３  案内孔、  １４、２３  基板、  １５、２７  貫通孔、
１６、２８  ナット、  １７  取付ボルト案内孔、  １８  取付ボルト案内板、
１９、２９  案内板、  ２０  穴、  ２１  ボルト孔、  ２４  貫通孔、
２５、２６  可動保持金具の支持側板、  ３０  天井躯体、  ３１  吊りボルト、
３２  補強ブレース、  ３３  ボルト、  ３４  螺子、  ３５  膨出部、
【図１】
0005537603.tif 000002
【図２】
0005537603.tif 000003
【図３】
0005537603.tif 000004
【図４】
0005537603.tif 000005
【図５】
0005537603.tif 000006
【図６】
0005537603.tif 000007
【図７】
0005537603.tif 000008